(57)【特許請求の範囲】
【請求項１】
入力された１枚の印刷データが記憶される印刷データ記憶手段と、前記印刷データ記憶手段に記憶された１枚の印刷データを印刷媒体に印刷する印刷データ印刷手段と、前記印刷データ印刷手段で印刷された印刷媒体を切断するカット手段と、入力されたオートカット設定データが記憶されるオートカット設定データ記憶手段と、前記オートカット設定データ記憶手段にオートカット設定データが記憶されたときに、前記印刷データ印刷手段で印刷媒体が印刷された後に前記カット手段を動作させるカットオンモードに設定するカットオンモード設定手段と、前記カットオンモード設定手段でカットオンモードに設定されている場合のみ前記印刷データ印刷手段で１枚の印刷データが印刷媒体に印刷された後に前記カット手段を動作させる第１カット動作制御手段と、を有する印刷装置において、
所定条件が成立したか否かを判断する判断手段と、
前記判断手段で所定条件が成立したと判断する場合には前記カットオンモード設定手段でカットオンモードに設定されていないときに前記印刷データ印刷手段で１枚の印刷データが印刷媒体に印刷された後に前記カット手段を動作させる第２カット動作制御手段とを備え、
１枚の印刷データに付された情報であって前記印刷データの入力元を記した入力者情報が記憶される入力者情報記憶手段と、
前記入力者情報記憶手段に新たに記憶された入力者情報が直前に記憶された入力者情報と異なるものであるか否かを認識する認識手段とを備え、
前記認識手段が新たな入力者情報が直前に記憶された入力者情報と異なるものであることを認識した場合に前記判断手段は所定条件が成立したと判断することを特徴とする印刷装置。
【請求項２】
請求項１に記載する印刷装置であって、
前記印刷データ印刷手段で印刷媒体が最後に印刷された時点からの経過時間を計測する計時手段を備え、
前記計時手段で計測している経過時間が一定時間を超えた場合に前記判断手段は所定条件が成立したと判断することを特徴とする印刷装置。
【請求項３】
請求項１に記載する印刷装置であって、
前記印刷データ印刷手段で印刷される印刷媒体を露出させる開放状態及び前記印刷媒体を覆う閉鎖状態を取り得るように装置本体に設けられたカバーと、
前記カバーの開放状態を検知するカバー状態検知手段とを備え、
前記カバー状態検知手段で前記カバーの開放状態を検知した場合に前記判断手段は所定条件が成立したと判断することを特徴とする印刷装置。
【請求項４】
請求項１に記載する印刷装置であって、
前記印刷データ印刷手段で印刷される印刷媒体を露出させる開放状態及び前記印刷媒体を覆う閉鎖状態を取り得るように装置本体に設けられたカバーと、
前記カバーが動作したことを検知するカバー動作検知手段とを備え、
前記カバー動作検知手段で前記カバーが動作したことを検知した場合に前記判断手段は所定条件が成立したと判断することを特徴とする印刷装置。
【請求項５】
請求項４に記載する印刷装置であって、
前記カバー動作検知手段は、前記カバーが閉鎖状態から開放状態に変化した場合に、前記カバーが動作したことを検知することを特徴とする印刷装置。
【請求項６】
請求項４又は請求項５に記載する印刷装置であって、
前記カバー動作検知手段は、前記カバーが開放状態から閉鎖状態に変化した場合に、前記カバーが動作したことを検知することを特徴とする印刷装置。
【請求項７】
請求項１に記載する印刷装置であって、
電力を供給する電源と、
前記電源が投入又は切断されたことを検知する電源検知手段とを備え、
前記電源検知手段で前記電源が切断されたことを検知した場合に前記判断手段は所定条件が成立したと判断することを特徴とする印刷装置。
【請求項８】
請求項１に記載する印刷装置であって、
コネクタを設け、
前記コネクタに、１枚の印刷データが転送されるケーブルを着脱可能にし、
前記ケーブルの着脱を検知するケーブル検知手段と、
前記ケーブル検知手段の検知結果が接続情報として記憶される接続情報記憶手段とを備え、
前記接続情報記憶手段に記憶された接続情報に基づいて前記コネクタから前記ケーブルが外れていることを検知した場合に前記判断手段は所定条件が成立したと判断することを特徴とする印刷装置。
【請求項９】
請求項１に記載する印刷装置であって、
印刷データが転送されるケーブルをオンライン状態又はオフライン状態に切り替える切替手段と、
前記切替手段が動作したことを検知する切替動作検知手段とを備え、
前記切替動作検知手段で前記切替手段が動作したことを検知した場合に前記判断手段は所定条件が成立したと判断することを特徴とする印刷装置。
【請求項１０】
入力された１枚の印刷データが記憶装置に記憶される記憶工程と、前記記憶工程で記憶された１枚の印刷データを印刷機構で印刷媒体に印刷する印刷工程と、前記印刷工程で印刷された印刷媒体をカッタ機構で切断するカット工程と、入力されたオートカット設定データが前記記憶装置に前記記憶工程でさらに記憶されたときに、前記印刷工程で印刷媒体が印刷された後に前記カッタ機構を動作させるカットオンモードに設定するカットオンモード設定工程と、前記カットオンモード設定工程でカットオンモードに設定されている場合のみ前記印刷工程で１枚の印刷データが印刷媒体に印刷された後に前記カット工程を実行させる第１カット動作制御工程と、を有する印刷方法において、
さらに、所定条件が成立したか否かを判断する判断工程と、
所定条件が成立したと判断する場合には、前記カットオンモード設定工程でカットオンモードに設定されていないときに、前記印刷工程で１枚の印刷データが印刷媒体に印刷された後に前記カット工程を実行させる第２カット動作制御工程とを備え、
前記記憶工程で、さらに、１枚の印刷データに付された情報であって前記印刷データの入力元を記した入力者情報が前記記憶装置に記憶され、
前記判断工程で、さらに、前記記憶工程で新たに記憶された入力者情報が直前に記憶された入力者情報と異なるものであるか否かを認識し、新たな入力者情報が直前に記憶された入力者情報と異なるものであることを認識した場合に、所定条件が成立したと判断することを特徴とする印刷方法。
【請求項１１】
請求項１０に記載する印刷方法であって、
さらに、前記印刷工程で印刷媒体が最後に印刷された時点からの経過時間を計測する計時工程を備え、
前記計時工程で計測している経過時間が一定時間を超えた場合に、前記判断工程で所定条件が成立したと判断することを特徴とする印刷方法。
【請求項１２】
請求項１０に記載する印刷方法であって、
さらに、前記印刷工程で印刷される印刷媒体を露出させる開放状態及び前記印刷媒体を覆う閉鎖状態を取り得るように装置本体に設けられたカバーの開放状態をカバー状態検知装置で検知するカバー状態検知工程とを備え、
前記カバー状態検知工程で前記カバーの開放状態を検知した場合に、前記判断工程で所定条件が成立したと判断することを特徴とする印刷方法。
【請求項１３】
請求項１０に記載する印刷方法であって、
前記印刷工程で印刷される印刷媒体を露出させる開放状態及び前記印刷媒体を覆う閉鎖状態を取り得るように装置本体に設けられたカバーが動作したことをカバー動作検知装置で検知するカバー動作検知工程とを、さらに、備え、
前記カバー動作検知工程で前記カバーが動作したことを検知した場合に、前記判断工程で所定条件が成立したと判断することを特徴とする印刷方法。
【請求項１４】
請求項１３に記載する印刷方法であって、
前記カバー動作検知工程では、前記カバーが閉鎖状態から開放状態に変化した場合に、前記カバーが動作したことを前記カバー動作検知装置で検知することを特徴とする印刷方法。
【請求項１５】
請求項１３又は請求項１４に記載する印刷方法であって、
前記カバー動作検知工程で、前記カバーが開放状態から閉鎖状態に変化した場合に、前記カバーが動作したことを前記カバー動作検知装置で検知することを特徴とする印刷方法。
【請求項１６】
請求項１０に記載する印刷方法であって、
電源に電力を供給する電源供給工程と、
前記電源が投入又は切断されたことを電源検知装置で検知する電源検知工程とを、さらに、備え、
前記電源検知工程で前記電源が切断されたことを検知した場合に、前記判断工程で所定条件が成立したと判断することを特徴とする印刷方法。
【請求項１７】
請求項１０に記載する印刷方法であって、
１枚の印刷データが転送されるケーブルに着脱可能に接続されるコネクタに対する前記ケーブルの着脱を検知するケーブル検知工程と、
前記ケーブル検知工程の検知結果が接続情報として前記記憶装置に記憶される接続情報記憶工程とを備え、
前記接続情報記憶工程で記憶された接続情報に基づいて前記コネクタから前記ケーブルが外れていることを検知した場合に、前記判断工程で所定条件が成立したと判断することを特徴とする印刷方法。
【請求項１８】
請求項１０に記載する印刷方法であって、
印刷データが転送されるケーブルを切替装置でオンライン状態又はオフライン状態に切り替える切替工程と、
前記切替工程が実行したことを検知する切替動作検知工程とを備え、
前記切替動作検知工程で前記切替工程が実行したことを検知した場合に、前記判断工程で所定条件が成立したと判断することを特徴とする印刷方法。
【発明の詳細な説明】
【技術分野】
【０００１】
本発明は、印刷媒体を切断するカット手段を有する印刷装置及び印刷方法に関するものである。
【背景技術】
【０００２】
従来の印刷装置及び印刷方法には、ロール紙等の長尺物に印刷を行い、印刷が行われた部分だけを切り離して１枚の印刷物を自動的に作成するオートカット機構を備えたものが知られている（例えば、特許文献１参照）。
【特許文献１】特開平７−２２８０１６号公報
【０００３】
この点、ユーザーがオートカット機構の動作を中止するカット無し印刷を設定すると、印刷物が切り離されずに残った状態になる。従って、続けて次の印刷を行うと、１枚目と２枚目とが繋がった状態の印刷物を意図的に作成することができる。
【発明の開示】
【発明が解決しようとする課題】
【０００４】
しかしながら、解決しようとする問題点として、この印刷装置を複数のユーザーが共有する場面では、一方のユーザーが１枚目と２枚目とが繋がった状態の印刷物を意図的に作成しようとしても、１枚目の印刷物をカット無しで印刷した直後に、他方のユーザーが印刷を行うと、両方のユーザーの印刷物が繋がった状態で出力されるので、そのままの状態では使えない印刷物ができあがってしまうことがあった。
【０００５】
具体的に言えば、例えば、一方のユーザーが１枚目と２枚目とが繋がった状態のラベルを意図的に作成しようとし、他方のユーザーが１枚のラベルを作成しようとした場合には、仮に、一方のユーザーのラベルが他方のユーザのラベルよりも早く印刷されたときは、図１１Ａ〜図１１Ｃに示すプリンター６において、先ず、図１１Ａに示すように、一方のユーザーの１枚目のラベル２５αとなる印刷用テープ８がカット無しで印刷され、そして図１１Ｂに示すように、一方のユーザーの２枚目のラベル２５βが印刷され、その直後に、一方のユーザーの１枚目のラベル２５αと２枚目のラベル２５βが繋がった状態でオートカットされた長尺状のラベル２５が出力される。さらに、図１１Ｃに示すように、他方のユーザーのラベル２５γがカットされた状態でプリンター６から出力される。この図１１Ａ〜図１１Ｃのケースでは、一方のユーザーが意図した１枚目と２枚目とが繋がった状態のラベル２５（図１１Ｂ）が作成され、他方のユーザーが意図した１枚のラベル２５（図１１Ｃ）が作成されているので、両方のユーザーが意図した出力結果となっている。この点は、他方のユーザーのラベルが一方のユーザのラベルよりも早く印刷されたときでも、同様である。
【０００６】
ところが、図１２Ａ〜図１２Ｃに示すプリンター６において、図１２Ａに示すように、一方のユーザーが所望する１枚目の印刷物２５αとなる印刷用テープ８がカット無しで印刷された直後に、他方のユーザーが印刷を行うと、図１２Ｂで示すように、一方のユーザーの印刷物２５αと他方のユーザーの印刷物２５γが繋がった状態でオートカットされた長尺状のラベル２５が出力され、そのままの状態では使えないラベル２５ができあがってしまう。尚、このとき、一方のユーザーが１枚目のラベル２５αと２枚目のラベル２５βとが繋がった状態のラベル２５を意図的に作成しようとしている場合には、その後において、図１２Ｃに示すように、２枚目のラベル２５βがカットされた状態でプリンター６から出力される。
【０００７】
すなわち、図１２Ｂで示すように、異なるユーザーのラベル２５α，２５γが繋がった状態でオートカットされた長尺状のラベル２５が出力されると、ユーザー間での調整が期待できない場合には、印刷物の紛失などのトラブルを招き、不都合な結果になることがある。
【０００８】
そこで、本発明は、上述した点を鑑みてなされたものであり、異なるユーザーの出力結果が繋がって印刷される可能性を低減した印刷装置及び印刷方法を提供することを課題とする。
【課題を解決するための手段】
【０００９】
課題を解決するために成された請求項１に係る発明は、入力された１枚の印刷データが記憶される印刷データ記憶手段と、前記印刷データ記憶手段に記憶された１枚の印刷データを印刷媒体に印刷する印刷データ印刷手段と、前記印刷データ印刷手段で印刷された印刷媒体を切断するカット手段と、入力されたオートカット設定データが記憶されるオートカット設定データ記憶手段と、前記オートカット設定データ記憶手段にオートカット設定データが記憶されたときに、前記印刷データ印刷手段で印刷媒体が印刷された後に前記カット手段を動作させるカットオンモードに設定するカットオンモード設定手段と、前記カットオンモード設定手段でカットオンモードに設定されている場合のみ前記印刷データ印刷手段で１枚の印刷データが印刷媒体に印刷された後に前記カット手段を動作させる第１カット動作制御手段と、を有する印刷装置において、所定条件が成立したか否かを判断する判断手段と、前記判断手段で所定条件が成立したと判断する場合には前記カットオンモード設定手段でカットオンモードに設定されていないときに前記印刷データ印刷手段で１枚の印刷データが印刷媒体に印刷された後に前記カット手段を動作させる第２カット動作制御手段とを備え、１枚の印刷データに付された情報であって前記印刷データの入力元を記した入力者情報が記憶される入力者情報記憶手段と、前記入力者情報記憶手段に新たに記憶された入力者情報が直前に記憶された入力者情報と異なるものであるか否かを認識する認識手段とを備え、前記認識手段が新たな入力者情報が直前に記憶された入力者情報と異なるものであることを認識した場合に前記判断手段は所定条件が成立したと判断することを特徴としている。
【００１０】
また、請求項２に係る発明は、請求項１に記載する印刷装置であって、前記印刷データ印刷手段で印刷媒体が最後に印刷された時点からの経過時間を計測する計時手段を備え、前記計時手段で計測している経過時間が一定時間を超えた場合に前記判断手段は所定条件が成立したと判断することを特徴としている。
【００１１】
また、請求項３に係る発明は、請求項１に記載する印刷装置であって、前記印刷データ印刷手段で印刷される印刷媒体を露出させる開放状態及び前記印刷媒体を覆う閉鎖状態を取り得るように装置本体に設けられたカバーと、前記カバーの開放状態を検知するカバー状態検知手段とを備え、前記カバー状態検知手段で前記カバーの開放状態を検知した場合に前記判断手段は所定条件が成立したと判断することを特徴としている。
【００１２】
また、請求項４に係る発明は、請求項１に記載する印刷装置であって、前記印刷データ印刷手段で印刷される印刷媒体を露出させる開放状態及び前記印刷媒体を覆う閉鎖状態を取り得るように装置本体に設けられたカバーと、前記カバーが動作したことを検知するカバー動作検知手段とを備え、前記カバー動作検知手段で前記カバーが動作したことを検知した場合に前記判断手段は所定条件が成立したと判断することを特徴している。
【００１３】
また、請求項５に係る発明は、請求項４に記載する印刷装置であって、前記カバー動作検知手段は、前記カバーが閉鎖状態から開放状態に変化した場合に、前記カバーが動作したことを検知することを特徴としている。
【００１４】
また、請求項６に係る発明は、請求項４又は請求項５に記載する印刷装置であって、前記カバー動作検知手段は、前記カバーが開放状態から閉鎖状態に変化した場合に、前記カバーが動作したことを検知することを特徴としている。
【００１５】
また、請求項７に係る発明は、請求項１に記載する印刷装置であって、電力を供給する電源と、前記電源が投入又は切断されたことを検知する電源検知手段とを備え、前記電源検知手段で前記電源が切断されたことを検知した場合に前記判断手段は所定条件が成立したと判断することを特徴としている。
【００１６】
【００１７】
また、請求項８に係る発明は、請求項１に記載する印刷装置であって、コネクタを設け、前記コネクタに、１枚の印刷データが転送されるケーブルを着脱可能にし、前記ケーブルの着脱を検知するケーブル検知手段と、前記ケーブル検知手段の検知結果が接続情報として記憶される接続情報記憶手段とを備え、前記接続情報記憶手段に記憶された接続情報に基づいて前記コネクタから前記ケーブルが外れていることを検知した場合に前記判断手段は所定条件が成立したと判断することを特徴としている。
【００１８】
また、請求項９に係る発明は、請求項１に記載する印刷装置であって、印刷データが転送されるケーブルをオンライン状態又はオフライン状態に切り替える切替手段と、前記切替手段が動作したことを検知する切替動作検知手段とを備え、前記切替動作検知手段で前記切替手段が動作したことを検知した場合に前記判断手段は所定条件が成立したと判断することを特徴としている。
【００１９】
【００２０】
【００２１】
【００２２】
【００２３】
【００２４】
【００２５】
【００２６】
【００２７】
【００２８】
【００２９】
課題を解決するために成された請求項１０に係る発明は、入力された１枚の印刷データが記憶装置に記憶される記憶工程と、前記記憶工程で記憶された１枚の印刷データを印刷機構で印刷媒体に印刷する印刷工程と、前記印刷工程で印刷された印刷媒体をカッタ機構で切断するカット工程と、入力されたオートカット設定データが前記記憶装置に前記記憶工程でさらに記憶されたときに、前記印刷工程で印刷媒体が印刷された後に前記カッタ機構を動作させるカットオンモードに設定するカットオンモード設定工程と、前記カットオンモード設定工程でカットオンモードに設定されている場合のみ前記印刷工程で１枚の印刷データが印刷媒体に印刷された後に前記カット工程を実行させる第１カット動作制御工程と、を有する印刷方法において、さらに、所定条件が成立したか否かを判断する判断工程と、所定条件が成立したと判断する場合には、前記カットオンモード設定工程でカットオンモードに設定されていないときに、前記印刷工程で１枚の印刷データが印刷媒体に印刷された後に前記カット工程を実行させる第２カット動作制御工程とを備え、前記記憶工程で、さらに、１枚の印刷データに付された情報であって前記印刷データの入力元を記した入力者情報が前記記憶装置に記憶され、前記判断工程で、さらに、前記記憶工程で新たに記憶された入力者情報が直前に記憶された入力者情報と異なるものであるか否かを認識し、新たな入力者情報が直前に記憶された入力者情報と異なるものであることを認識した場合に、所定条件が成立したと判断することを特徴としている。
【００３０】
また、請求項１１に係る発明は、請求項１０に記載する印刷方法であって、さらに、前記印刷工程で印刷媒体が最後に印刷された時点からの経過時間を計測する計時工程を備え、前記計時工程で計測している経過時間が一定時間を超えた場合に、前記判断工程で所定条件が成立したと判断することを特徴としている。
【００３１】
また、請求項１２に係る発明は、請求項１０に記載する印刷方法であって、さらに、前記印刷工程で印刷される印刷媒体を露出させる開放状態及び前記印刷媒体を覆う閉鎖状態を取り得るように装置本体に設けられたカバーの開放状態をカバー状態検知装置で検知するカバー状態検知工程とを備え、前記カバー状態検知工程で前記カバーの開放状態を検知した場合に、前記判断工程で所定条件が成立したと判断することを特徴としている。
【００３２】
また、請求項１３に係る発明は、請求項１０に記載する印刷方法であって、前記印刷工程で印刷される印刷媒体を露出させる開放状態及び前記印刷媒体を覆う閉鎖状態を取り得るように装置本体に設けられたカバーが動作したことをカバー動作検知装置で検知するカバー動作検知工程とを、さらに、備え、前記カバー動作検知工程で前記カバーが動作したことを検知した場合に、前記判断工程で所定条件が成立したと判断することを特徴としている。
【００３３】
また、請求項１４に係る発明は、請求項１３に記載する印刷方法であって、前記カバー動作検知工程では、前記カバーが閉鎖状態から開放状態に変化した場合に、前記カバーが動作したことを前記カバー動作検知装置で検知することを特徴としている。
【００３４】
また、請求項１５に係る発明は、請求項１３又は請求項１４に記載する印刷方法であって、前記カバー動作検知工程で、前記カバーが開放状態から閉鎖状態に変化した場合に、前記カバーが動作したことを前記カバー動作検知装置で検知することを特徴としている。
【００３５】
また、請求項１６に係る発明は、請求項１０に記載する印刷方法であって、電源に電力を供給する電源供給工程と、前記電源が投入又は切断されたことを電源検知装置で検知する電源検知工程とを、さらに、備え、前記電源検知工程で前記電源が切断されたことを検知した場合に、前記判断工程で所定条件が成立したと判断することを特徴としている。
【００３６】
【００３７】
また、請求項１７に係る発明は、請求項１０に記載する印刷方法であって、１枚の印刷データが転送されるケーブルに着脱可能に接続されるコネクタに対する前記ケーブルの着脱を検知するケーブル検知工程と、前記ケーブル検知工程の検知結果が接続情報として前記記憶装置に記憶される接続情報記憶工程とを備え、前記接続情報記憶工程で記憶された接続情報に基づいて前記コネクタから前記ケーブルが外れていることを検知した場合に、前記判断工程で所定条件が成立したと判断することを特徴としている。
【００３８】
また、請求項１８に係る発明は、請求項１０に記載する印刷方法であって、印刷データが転送されるケーブルを切替装置でオンライン状態又はオフライン状態に切り替える切替工程と、前記切替工程が実行したことを検知する切替動作検知工程とを備え、前記切替動作検知工程で前記切替工程が実行したことを検知した場合に、前記判断工程で所定条件が成立したと判断することを特徴としている。
【発明の効果】
【００３９】
すなわち、本発明の印刷装置の利点は、印刷媒体が印刷された後に切断されるカットオンモードに設定されていないときでも、所定条件が成立したと判断する場合には、印刷媒体を切断するので、異なるユーザーの出力結果が繋がって印刷される可能性を低減することができる。
【００４０】
この点、所定条件には、異なるユーザーの出力結果が繋がって印刷されることを阻止する観点からすれば、例えば、最後の印刷後の所定時間の経過や、カバーが開放したこと、カバーが動作（閉鎖から開放、開放から閉鎖）したこと、電源の切断、入力者情報の変化、通信ケーブルの外れ、通信ケーブルの状態（オンラインからオフライン、オフラインからオンライン）の切替などがある。
【００４１】
また、本発明の印刷方法の利点は、印刷媒体が印刷された後に切断されるカットオンモードに設定されていないときでも、所定条件が成立したと判断する場合には、印刷媒体を切断するので、異なるユーザーの出力結果が繋がって印刷される可能性を低減することができる。
【００４２】
この点、所定条件には、異なるユーザーの出力結果が繋がって印刷されることを阻止する観点からすれば、例えば、最後の印刷後の所定時間の経過や、カバーが開放したこと、カバーが動作（閉鎖から開放、開放から閉鎖）したこと、電源の切断、入力者情報の変化、通信ケーブルの外れ、通信ケーブルの状態（オンラインからオフライン、オフラインからオンライン）の切替などがある。
【図面の簡単な説明】
【００４３】
【図１】図１は、プリンターにおけるテープ印刷処理制御のフローチャートを示した図である。
【図２】図２は、プリンターにおけるテープ印刷処理制御での強制カット処理のフローチャートを示した図である。
【図３】図３は、プリンターにおけるテープ印刷処理制御でのＩ／Ｆデータ処理のフローチャートを示した図である。
【図４】図４は、プリンターにおけるテープ印刷処理制御での印刷処理のフローチャートを示した図である。
【図５】図５は、プリンターにおけるテープ印刷処理制御のフローチャートを示した図である。
【図６】図６は、プリンターにおけるテープ印刷処理制御での本体データ処理のフローチャートを示した図である。
【図７】図７は、テープ印刷装置の斜視図である。
【図８】図８は、印刷機構の概略平面図である。
【図９】図９は、テープ印刷装置の制御系のブロック図である。
【図１０Ａ】図１０Ａは、異なるユーザー間でテープ印刷装置を共有した場合の防止例を示した図である。
【図１０Ｂ】図１０Ｂは、異なるユーザー間でテープ印刷装置を共有した場合の防止例を示した図である。
【図１０Ｃ】図１０Ｃは、異なるユーザー間でテープ印刷装置を共有した場合の防止例を示した図である。
【図１０Ｄ】図１０Ｄは、異なるユーザー間でテープ印刷装置を共有した場合の防止例を示した図である。
【図１１Ａ】図１１Ａは、異なるユーザー間でテープ印刷装置を共有した場合の成功例を示した図である。
【図１１Ｂ】図１１Ｂは、異なるユーザー間でテープ印刷装置を共有した場合の成功例を示した図である。
【図１１Ｃ】図１１Ｃは、異なるユーザー間でテープ印刷装置を共有した場合の成功例を示した図である。
【図１２Ａ】図１２Ａは、異なるユーザー間でテープ印刷装置を共有した場合の失敗例を示した図である。
【図１２Ｂ】図１２Ｂは、異なるユーザー間でテープ印刷装置を共有した場合の失敗例を示した図である。
【図１２Ｃ】図１２Ｃは、異なるユーザー間でテープ印刷装置を共有した場合の失敗例を示した図である。
【符号の説明】
【００４４】
１    テープ印刷装置
２Ａ，２Ｂ，２Ｃ  データ作成装置
４    キーボード
６    プリンター
７    カセットカバー
８    印刷用テープ
２５    ラベル
５４    ＣＰＵ
５６    ＲＡＭ
５６ａ  ＲＡＭの記憶エリア
５７    入出力インターフェイス（入出力Ｉ／Ｆ）
６６    可動刃
６７    固定刃
７１    ＤＣモータ
７１Ａ  駆動軸
７３    駆動回路
１０１    カバーセンサ
１０２    クロック回路
１０３    電源ユニット
１０４    検知回路
１０５    可動刃センサ
２０１    コネクタ
Ｌ    接続線
ＰＭ    印刷機構
【発明を実施するための最良の形態】
【００４５】
以下、本発明の実施の形態を図面を参照して説明する。先ず、本実施の形態に係るテープ印刷装置の構成について説明する。
【００４６】
図７に示すように、テープ印刷装置１は、文字や記号等を複数行分表示可能なＣＲＴディスプレイ３とキーボード４と制御本体部５とを備えたデータ作成装置２Ａと、このデータ作成装置２Ａの制御本体部５に接続線Ｌで接続されたプリンター６とから構成されている。尚、ＣＲＴディスプレイ３とキーボード４とは、接続線を介して制御本体部５に夫々接続されている。そして、データ作成装置２Ａにより展開処理された文書データや各種指令信号が接続線Ｌを通してプリンター６へ送信される。
【００４７】
キーボード４には、アルファベットや数字や記号を入力する為の文字キー、スペースキー、リターンキー、カーソルを上下左右方向へ移動させるカーソル移動キー、印刷終了後のフィードカット処理の有無を設定するモード選択キーと、印刷文字のサイズを設定するサイズ設定キー、印刷文字の書体を設定する書体設定キー、各種の編集機能キー、印刷を実行する印刷キー等が設けられている。
【００４８】
又、プリンター６には、その上面に、プリンター６の電源キー６ａと、印刷用テープ８のフィードカットを行わせたり、印刷を実行させる等の様々な動作を実行させるファンクションキー（以下、Ｆキーと称する。）６ｂとの２つのキースイッチ６０が設けられている。本実施例のフィードカットは、印刷用テープ８を２５mm送った後にテープカットを行うものである。又、プリンター６の側面にはカセットカバー７が開閉可能に取り付けられており、カセットカバー７を開放することで、後述する印刷機構ＰＭへテープ収納カセットＣＳを装着することが出来る。
【００４９】
次に、図８に基づいて、プリンター６に内蔵された印刷機構ＰＭについて簡単に説明すると、印刷機構ＰＭに着脱自在に矩形状のテープ収納カセットＣＳが装着されており、このテープ収納カセットＣＳには、透明なフィルムからなる幅約２４mmの印刷用テープ８が巻装されたテープスプール９と、インクリボン１０が巻装されたリボン供給スプール１１と、このインクリボン１０を巻取る巻取りスプール１２と、印刷用テープ８と同一幅を有する両面テープ１３が剥離紙を外側にして巻装された供給スプール１４と、これら印刷用テープ８と両面テープ１３とを接合させる接合ローラ１５とが回転自在に設けられている。
【００５０】
印刷用テープ８とインクリボン１０とが重なる位置には、サーマルヘッド１６が立設され、これら印刷用テープ８とインクリボン１０とをサーマルヘッド１６に押圧するプラテンローラ１７と、印刷用テープ８と両面テープ１３とを接合ローラ１５に押圧する送りローラ１８とは、プリンター６のフレームに回動自在に枢着された支持体１９に回転可能に枢支されている。このサーマルヘッド１６には、１２８個の発熱素子からなる発熱素子群が上下方向に列設されている。
【００５１】
従って、テープ送りモータ５０（図９参照）の所定回転方向への駆動により接合ローラ１５と巻取りスプール１２とが所定回転方向に夫々同期して駆動されながら発熱素子群に通電されたとき、印刷用テープ８上には複数のドット列により文字が印刷され、しかも印刷用テープ８は両面テープ１３を接合した状態でテープ送り方向Ａにテープ送りされ、図１に示すように、プリンター６の外部に送り出される。尚、印刷機構ＰＭの詳細については、特開平２−１０６５５５号公報に開示された公知の印刷機構と同様であるのでその説明を省略する。
【００５２】
ここで、前記テープ収納カセットＣＳとして、テープ幅が６mm、９mm、１２mm、１８mm、２４mmの印刷用テープ８を収納した５種類のカセットＣＳが準備されており、これらテープ収納カセットＣＳの底部壁には、第１突出片〜第３突出片２０〜２２のうちの何れかの突出片が組合せて設けられている。そして、プリンター６のフレームには、これら第１突出片〜第３突出片２０〜２２の有無を夫々検出する為のフォトインタラプタからなるテープ幅センサ５３（図９参照）が取付けられている。
【００５３】
また、印刷用テープ８の送り方向に沿ってサーマルヘッド１６の下流側であるラベル排出孔２３の近傍には、カッタ機構６５が配設されている。このカッタ機構６５は公知のハサミと同様に構成されており、固定刃６６と可動刃６７とからなる。この可動刃６７は枢支軸６８を中心として回動する回動レバー６９に固着されており、また、回動レバー６９はギヤ機構７０を介してＤＣモータ７１の駆動軸７１Ａに固着されたピニオン７２と連結されている。
【００５４】
これより、可動刃６７はＤＣモータ７１の駆動軸７１Ａの正逆回転に伴いピニオン７２、ギヤ機構７０、回動レバー６９を介して、枢支軸６８を支点として開閉するものであり、かかる開閉動作に伴い固定刃６６と協働して作成されたラベル２５を切断するものである。前記サーマルヘッド１１による印刷位置とカッタ機構６５による切断位置との間は距離ｎだけ離れている。この距離ｎをヘッド・カッタ間距離ｎとする。本実施例ではｎ＝２５mmである。
【００５５】
次に、テープ印刷装置１の制御系は、図９のブロック図に示すように構成されている。
【００５６】
先ず、データ作成装置２Ａの制御系について説明すると、キーボード（Ｋ／Ｂ）４と、ＣＲＴディスプレイ（ＣＲＴＤ）３に表示データを出力する為の表示用ＲＡＭを有するＣＲＴディスプレイコントローラ（ＣＲＴＣ）３０と、制御本体部５に設けられたフロッピー（登録商標）ディスクドライブ（ＦＤＤ）３１の為のフロッピー（登録商標）ディスクドライブコントローラ（ＦＤＣ）３２、座標入力装置３９とは、制御本体部５に設けられた制御装置Ｃ１の入出力インターフェース（入出力Ｉ／Ｆ）３６に夫々接続されている。
【００５７】
制御装置Ｃ１は、ＣＰＵ３３と、このＣＰＵ３３にデータバス等のバス３８を介して接続された入出力インターフェース３６と、通信用インターフェース（Ｉ／Ｆ）３７と、ハードディスクを装着したハードディスクドライブ装置（ＨＤＤ）３４の為のハードディスクドライブコントローラ（ＨＤＣ）３５と、ＲＡＭ４０とから構成されている。さらに、通信用インターフェース（Ｉ／Ｆ）３７には、制御本体部５の外壁において差込受口が露出したコネクタ２０２が設けられており、このコネクタ２０２には接続線Ｌが連結され得る。
【００５８】
前記ハードディスクには、多数のキャラクタの各々に関して、表示の為のドットパターンデータがコードデータに対応させて格納された表示パターンデータメモリ、キャラクタを印刷する為に多数のキャラクタの各々に関して、キャラクタの輪郭線を規定する輪郭線データ（アウトラインデータ）が書体（ゴシック系書体、明朝系書体等）毎に分類されコードデータに対応させて格納されたフォントメモリ、キーボード４から入力された文字や数字や記号等のキャラクタのコードデータに対応させてＣＲＴディスプレイコントローラ３０を制御する表示駆動制御プログラム、ＲＡＭ４０のテキストメモリ４１の各コードデータに対応するアウトラインデータからドットパターンデータに変換処理してプリンター６に出力するイメージ展開制御プログラム等が格納されている。
【００５９】
前記ＲＡＭ４０のテキストメモリ４１には、キーボード４から入力された文書のデータが格納される。印刷フォーマットメモリ４２には、設定された文字サイズのデータや書体番号のデータなど複数の印刷フォーマット情報が格納される。印刷バッファ４３には、イメージ展開された文字や記号の印刷用ドットパターンデータが格納される。ワークメモリ４４には、データ処理する上で必要なデータが一時的に格納される。
【００６０】
次に、プリンター６の制御系について説明すると、サーマルヘッド１６を駆動する為の駆動回路５２と、テープ送りモータ５０を駆動する為の駆動回路５１と、ＤＣモータ７１を駆動するための駆動回路７３と、テープ幅センサ５３と、キースイッチ６０とは制御装置Ｃ２の入出力インターフェース（入出力Ｉ／Ｆ）５７に夫々接続されている。
【００６１】
制御装置Ｃ２は、ＣＰＵ５４と、このＣＰＵ５４にデータバスなどのバス５９を介して接続された入出力インターフェース（入出力Ｉ／Ｆ）５７と、通信用インターフェース（Ｉ／Ｆ）５８と、ＲＯＭ５５と、ＲＡＭ５６とから構成されている。さらに、通信用インターフェース（Ｉ／Ｆ）５８には、プリンター６の外壁において差込受口が露出したコネクタ２０１が設けられており、このコネクタ２０１には接続線Ｌが連結され得る。
【００６２】
前記ＲＯＭ５５には、データ作成装置２Ａから送信されたドットパターンデータに基づいてサーマルヘッド１６やテープ送りモータ５０等を駆動する印刷駆動制御プログラム、データ作成手段２若しくはキースイッチ６０により受けた指令に基づいて各部機構を制御するプログラム等が格納されている。
【００６３】
前記ＲＡＭ５６には、ＣＰＵ５４で演算した演算結果を一時的に格納する為の各種のメモリ、各部の動作状態を示すフラグ及びポインタ等が設けられているが、特に、後述する入力者情報が上書きで記憶される記憶エリア５６ａが確保されている。
【００６４】
また、制御装置Ｃ２の入出力インターフェース（入出力Ｉ／Ｆ）５７には、カバーセンサ１０１と、クロック回路１０２、電源回路１０３、可動刃センサ１０５がそれぞれ接続されている。この点、カバーセンサ１０１とは、プリンター６のカセットカバー７の開閉状態を検知できるものである。また、電源回路１０３には、検知回路１０４が設けられており、電源の投入・切断を検知できるものである。また、可動刃センサ１０５とは、可動刃６７が動作したことを検知するものであり、これにより、ラベル２５を切断したか否かを判断する。
【００６５】
また、制御装置Ｃ２の入出力インターフェース（入出力Ｉ／Ｆ）５７は、コネクタ２０１に連結された接続線Ｌを介して、データ作成装置２Ａに接続されるだけでなく、その他のデータ作成装置２Ｂ，２Ｃ，…にも接続されており、ローカルエリアネットワークを形成している。その他のデータ作成装置２Ｂ，２Ｃ，…においても、プリンター６に対し、データ作成装置２Ａと同様な機能を有している。
【００６６】
次に、プリンター６の制御装置Ｃ２で行なわれるテープ印刷制御のルーチンについて、図１及び図６の概略フローチャートに基づいて説明する。
【００６７】
プリンター６の制御装置Ｃ２で行なわれるテープ印刷制御では、先ず、図１のＳ１１においてイニシャル処理を行い、Ｓ１２においてタイムアウトカウント停止処理を行う。プリンター６の制御装置Ｃ２は不図示のタイマを有しており、時間経過に伴ってタイマのカウンタはインクリメントしていく。そのタイマをタイムアウト用のタイマとして用いる。定期的にカウンタの値を所定の値と比較することで時間経過を判断する。ここでは、その不図示のタイマのカウントを停止する。
【００６８】
さらに、Ｓ１３では、電源ユニット１０３の検知回路１０４を使用して電源ＯＦＦ検出処理を行い、その検出結果をＲＡＭ５６に記憶する。また、Ｓ１４では、キーボード４から入力されるキーの読み込み処理を行い、その入力結果をＲＡＭ５６に記憶する。
【００６９】
さらに、Ｓ１５では、カバーセンサ１０１を使用してカバー開閉検出処理を行い、その検出結果をＲＡＭ５６に記憶する。また、Ｓ１６では、データ受信処理を行い、入出力インターフェース（入出力Ｉ／Ｆ）５７を介して受信したデータをＲＡＭ５６に記憶する。
【００７０】
さらに、Ｓ１７では、入力者情報確認処理を行い、このとき確認された入力者情報はＲＡＭ５６の記憶エリア５６ａに記憶される。尚、入力者情報とは、入出力インターフェース（入出力Ｉ／Ｆ）５７を介して、データ作成装置２Ａ，２Ｂ，２Ｃ，…から送信されてくる印刷データに付された情報であり、この情報により、発信元を識別することができる。また、Ｓ１８では、入出力インターフェース（入出力Ｉ／Ｆ）５７を使用して通信ケーブル挿抜検出処理を行い、入出力インターフェース（入出力Ｉ／Ｆ）５７に接続された接続線Ｌの接続状態をＲＡＭ５６に記憶する。
【００７１】
そして、Ｓ１９では、タイムアウトカウント中であるか否かを判断する。このとき、タイムアウトカウント中でないと判断する場合には（Ｓ１９：ＮＯ）、何もすることなく、Ｓ２１に進む。一方、タイムアウトカウント中であると判断する場合には（Ｓ１９：ＹＥＳ）、Ｓ２０に進んで、クロック回路１０２を使用してタイムアウトカウント処理を行って、時間を計測し、Ｓ２１に進む。
【００７２】
Ｓ２１では、電源がＯＦＦであるか否かを判断する。この判断は、上記Ｓ１３の電源ＯＦＦ検出処理でＲＡＭ５６に記憶されたデータに基づいて行う。このとき、電源がＯＦＦであると判断する場合には（Ｓ２１：ＹＥＳ）、Ｓ２２に進んで、後述する図２の強制カット処理を行った後に、本テープ印刷制御のルーチンを終了する。一方、電源がＯＦＦでないと判断する場合には（Ｓ２１：ＮＯ）、Ｓ２３に進む。
【００７３】
Ｓ２３では、受信データがあるか否かを判断する。この判断は、上記Ｓ１６のデータ受信処理でＲＡＭ５６に記憶されたデータに基づいて行う。このとき、受信データがあると判断する場合には（Ｓ２３：ＹＥＳ）、Ｓ２４に進んで、後述する図３のＩ／Ｆデータ処理を行った後に、上記Ｓ１３に戻って、上述した処理を繰り返す。一方、受信データがないと判断する場合には（Ｓ２３：ＮＯ）、Ｓ２５に進む。
【００７４】
Ｓ２５では、所定条件が成立しているか否かを判断する。ここで、所定条件の成立とは、「タイムアウト経過」、「通信ケーブル抜き」、「カバーオープン」、「新規入力者情報検出」、「ＯＮラインＯＦＦライン切り替え」のいずれかの条件が成立することをいう。
【００７５】
この点、「タイムアウト経過」では、上記Ｓ２０でのクロック回路１０２を使用したタイムアウトカウント処理において、所定時間（例えば、３分など）が経過したときに、所定条件が成立する。また、「通信ケーブル抜き」では、入出力インターフェース（入出力Ｉ／Ｆ）５７から接続線Ｌが外れているときに、所定条件が成立し、上記Ｓ１８の通信ケーブル挿抜検出処理でＲＡＭ５６に記憶されたデータに基づいて判断される。また、「カバーオープン」とは、プリンター６のカセットカバー７が開放状態であるときに、所定条件が成立し、上記Ｓ１５のカバー開閉検出処理でＲＡＭ５６に記憶されたデータに基づいて判断される。また、「新規入力者情報検出」とは、入出力インターフェース（入出力Ｉ／Ｆ）５７を介して、データ作成装置２Ａ，２Ｂ，２Ｃ，…から送信されてくる印刷データに付された入力者情報が新規である場合に、所定条件が成立し、上記Ｓ１７の入力者情報確認処理でＲＡＭ５６の記憶エリア５６ａに記憶されるデータに基づいて判断される。また、「ＯＮラインＯＦＦライン切り替え」とは、入出力インターフェース（入出力Ｉ／Ｆ）５７に接続された接続線ＬがＯＮライン状態からＯＦＦライン状態に、又は、ＯＦＦライン状態からＯＮライン状態に切り替えされたときに、所定条件が成立し、上記Ｓ１６のデータ受信処理でＲＡＭ５６に記憶されたデータに基づいて判断され、新たにＲＡＭ５６に記憶されたデータにＯＮライン・ＯＦＦライン指令データがあると、所定条件が成立したと判断する。
【００７６】
そして、このＳ２５において、所定条件が成立していると判断する場合には（Ｓ２５：ＹＥＳ）、Ｓ２６に進んで、後述する図２の強制カット処理を行った後に、上記Ｓ１３に戻って、上述した処理を繰り返す。一方、所定条件が成立していないと判断する場合には（Ｓ２５：ＹＥＳ）、何もすることなく、上記Ｓ１３に戻って、上述した処理を繰り返す。
【００７７】
次に、上記Ｓ２２及び上記Ｓ２６での強制カット処理について図２に基づいて説明する。強制カット処理では、図２に示すように、先ず、Ｓ３１において、未カット印刷物があるか否かを判断する。この判断は、ＲＡＭ４０の不図示の未カットフラグの値に基づいて判断される。このとき、未カット印刷物がないと判断する場合には（Ｓ３１：ＮＯ）、何もすることなく、この強制カット処理を終了するが、未カット印刷物があると判断する場合には（Ｓ３１：ＹＥＳ）、Ｓ３２に進む。尚、前記不図示の未カットフラグは、ラベルが１枚印刷される時にＯＮに設定し、それがカットされる時にＯＦＦに設定する。
【００７８】
Ｓ３２では、カット処理を行い、ＤＣモータ７１の駆動軸７１Ａの正逆回転を行って、可動刃６７を正逆方向に回動させることにより、固定刃６６と協働して印刷用テープ８からラベル２５を切断する。この時、ＲＡＭ４０の不図示の未カットグラフをＯＦＦに設定する。
【００７９】
そして、Ｓ３３に進むと、タイムアウトカウント停止処理を行い、クロック回路１０２を使用してタイムアウトカウント処理をリセットし、その後に、この強制カット処理を終了する。
【００８０】
次に、上記Ｓ２４でのＩ／Ｆデータ処理について図３に基づいて説明する。Ｉ／Ｆデータ処理では、図３に示すように、先ず、Ｓ６１において、上記Ｓ１６のデータ受信処理でＲＡＭ５６に記憶されたデータが印刷データであるか否かを判断する。このとき、上記Ｓ１６のデータ受信処理でＲＡＭ５６に記憶されたデータが印刷データであると判断する場合には（Ｓ６１：ＹＥＳ）、Ｓ６２に進んで、印刷データ蓄積処理を行い、ＲＡＭ５６を使用してラベル２５に印刷される印刷データのバッファリングを行った後、このＩ／Ｆデータ処理を終了する。一方、上記Ｓ１６のデータ受信処理でＲＡＭ５６に記憶されたデータが印刷データでないと判断する場合には（Ｓ６１：ＮＯ）、Ｓ６３に進む。
【００８１】
Ｓ６３では、上記Ｓ１６のデータ受信処理でＲＡＭ５６に記憶されたデータがオートカット設定データであるか否かを判断する。このとき、上記Ｓ１６のデータ受信処理でＲＡＭ５６に記憶されたデータがオートカット設定データであると判断する場合には（Ｓ６３：ＹＥＳ）、Ｓ６４に進んで、オートカットＯＮ・ＯＦＦ設定を行い、その設定内容をＲＡＭ５６に記憶した後、このＩ／Ｆデータ処理を終了する。一方、上記Ｓ１６のデータ受信処理でＲＡＭ５６に記憶されたデータがオートカット設定データでないと判断する場合には（Ｓ６３：ＮＯ）、Ｓ６５に進む。
【００８２】
Ｓ６５では、上記Ｓ１６のデータ受信処理でＲＡＭ５６に記憶されたデータが印刷指令データであるか否かを判断する。このとき、上記Ｓ１６のデータ受信処理でＲＡＭ５６に記憶されたデータが印刷指令データであると判断する場合には（Ｓ６５：ＹＥＳ）、Ｓ６６に進んで、後述する図４の印刷処理を行った後、このＩ／Ｆデータ処理を終了する。一方、上記Ｓ１６のデータ受信処理でＲＡＭ５６に記憶されたデータが印刷指令データでないと判断する場合には（Ｓ６５：ＮＯ）、Ｓ６７に進む。
【００８３】
Ｓ６７では、上記Ｓ１６のデータ受信処理でＯＮライン・ＯＦＦライン指令データがＲＡＭ５６に新たに記憶されたか否かを判断する。このとき、上記Ｓ１６のデータ受信処理でＯＮライン・ＯＦＦライン指令データがＲＡＭ５６に新たに記憶されたと判断する場合には（Ｓ６７：ＹＥＳ）、Ｓ６８に進んで、入出力インターフェース（入出力Ｉ／Ｆ）５７に接続された接続線ＬをＯＮライン状態からＯＦＦライン状態に又はＯＦＦライン状態からＯＮライン状態に切り替えた後、このＩ／Ｆデータ処理を終了する。一方、上記Ｓ１６のデータ受信処理でＯＮライン・ＯＦＦライン指令データがＲＡＭ５６に新たに記憶されていないと判断する場合には（Ｓ６７：ＮＯ）、Ｓ６９に進んで、その他の処理を行った後、このＩ／Ｆデータ処理を終了する。
【００８４】
次に、上記Ｓ６６での印刷処理について図４に基づいて説明する。印刷処理では、図４に示すように、先ず、Ｓ５１において、１ページ印刷処理を行い、ＲＡＭ５６において蓄積された１ページ分の印刷データを印刷機構ＰＭで印刷用テープ８に印刷する。この時、ＲＡＭ４０の不図示の未カットフラグをＯＮに設定する。その後に、Ｓ５２に進む。
【００８５】
Ｓ５２では オートカットがＯＮ設定であるか否かを判断する。このとき、オートカットがＯＮ設定であると判断する場合には（Ｓ５２：ＹＥＳ）、Ｓ５３に進んで、カット処理を行い、ＤＣモータ７１の駆動軸７１Ａの正逆回転を行って、可動刃６７を正逆方向に回動させることにより、固定刃６６と協働して印刷用テープ８からラベル２５を切断する。この時、ＲＡＭ４０の不図示の未カットフラグをＯＦＦに設定する。
【００８６】
そして、Ｓ５４に進むと、タイムアウトカウント停止処理を行い、クロック回路１０２を使用してタイムアウトカウント処理を停止し、その後に、この印刷処理を終了する。
【００８７】
一方、上記Ｓ５２でオートカットがＯＦＦ設定であると判断する場合には（Ｓ５２：ＮＯ）、Ｓ５５に進んで、クロック回路１０２を使用したタイムアウトカウント処理を開始し、その後に、この印刷処理を終了する。
【００８８】
以上詳細に説明したように、本実施の形態のテープ印刷装置１において、例えば、一方のユーザーがデータ作成装置２Ａを使用して１枚目と２枚目とが繋がった状態のラベル２５を意図的に作成しようとし、他方のユーザーがデータ作成装置２Ｂを使用して１枚のラベル２５を作成しようとした場合には、一方のユーザーがデータ作成装置２Ａを使用して１枚目のラベル２５αをカット無しで作成すること（Ｓ５２：ＮＯ）をプリンター６に命令すると、図１０Ａのプリンター６に示すように、一方のユーザーが所望する１枚目のラベル２５αとなる印刷用テープ８がカット無しで印刷され、その後に、「タイムアウト経過」、「通信ケーブル抜き」、「カバーオープン」、「新規入力者情報検出」、「ＯＮラインＯＦＦライン切り替え」のいずれかの所定条件が成立すると（Ｓ２５：ＹＥＳ）、図１０Ｂのプリンター６に示すように、一方のユーザーが所望する１枚目のラベル２５αがカットされた状態でプリンター６から出力される（Ｓ２６，Ｓ３２）。
【００８９】
このとき、他方のユーザーがデータ作成装置２Ｂを使用して１枚のラベル２５をオートカットで作成すること（Ｓ５２：ＹＥＳ）をプリンター６に命令すると、図１０Ｃのプリンター６に示すように、他方のユーザーが所望する１枚のラベル２５γがオートカットされて出力される。
【００９０】
その後、一方のユーザーがデータ作成装置２Ａを使用して２枚目のラベル２５βをオートカットで作成すること（Ｓ５２：ＹＥＳ）をプリンター６に命令し、１枚目のラベル２５αと２枚目のラベル２５βとが繋がった状態のラベル２５を意図的に作成しようとしても、図１０Ｄのプリンター６に示すように、一方のユーザーが所望する１枚のラベル２５βがオートカットされて出力される。
【００９１】
この結果、一方のユーザーが意図した１枚目のラベル２５αと２枚目のラベル２５βとが繋がった状態のラベル２５を作成することはできなかったものの、「発明が解決しようとする課題」の欄で説明した図１２Ｂに示すような、一方のユーザーが所望したラベル２５αと他方のユーザーが所望したラベル２５γとが繋がった状態のラベル２５が作成されることを防止できる。
【００９２】
この点、一方のユーザーとしては、意図した１枚目のラベル２５αと２枚目のラベル２５βとが繋がった状態のラベル２５を作成することはできなかったものの、意図した通りに、１枚目のラベル２５αと２枚目のラベル２５βとが繋がった状態のラベル２５が作成できたとしても、通常は、１枚目のラベル２５αと２枚目のラベル２５βとを切り離して使用するので、不都合となるケースは少ない。
【００９３】
また、本実施の形態のテープ印刷装置１では、電源がＯＦＦされた場合でも（Ｓ２１：ＹＥＳ）、プリンター６での未カット印刷物はオートカットされて出力されるので（Ｓ３２）、同様にして、一方のユーザーが所望したラベル２５αと他方のユーザーが所望したラベル２５γとが繋がった状態のラベル２５が作成されることを防止できる。
【００９４】
尚、本発明は上記実施の形態に限定されるものでなく、その趣旨を逸脱しない範囲で様々な変更が可能である。
例えば、本実施の形態のテープ印刷装置１では、プリンター６のカセットカバー７が開放状態であるときに所定条件が成立したと判断されるが（Ｓ２５：ＹＥＳ）、この点、プリンター６のカセットカバー７が閉鎖状態から開放状態になったときや、プリンター６のカセットカバー７が開放状態から閉鎖状態になったときに、Ｓ２５において所定条件が成立したと判断してもよい。ただし、この場合には、Ｓ１５のカバー開閉検出処理において、カバーセンサ１０１からの検知信号が変化したときに、その旨をＲＡＭ５６に記憶させる。
【００９５】
尚、プリンター６に対するカセットカバー７の開閉は、カセットカバー７をプリンター６に付けたり離したりすることで開閉する場合と、カセットカバー７をプリンター６に枢支し回動させることで開閉する場合とがあるが、いずれの場合でも、カバーセンサ１０１で開放状態・閉鎖状態を検知し得る。
【００９６】
また、本実施の形態のテープ印刷装置１におけるプリンター６では、印字機構ＰＭで印刷用テープ８に印刷されるテキストデータの入力や、オートカットの設定、印刷指令、ＯＮライン・ＯＦＦライン指令などを、接続線Ｌを介して、データ作成装置２Ａ，２Ｂ，２Ｃ，…からの通信で行っている。この点、プリンター６自身がキーボードを備えて、印字機構ＰＭで印刷用テープ８に印刷されるテキストデータの入力や、オートカットの設定、印刷指令、ＯＮライン・ＯＦＦライン指令などを、プリンター６自身で行う場合でもあってもよい。
【００９７】
そのためには、図１のＳ２３からＳ２５に進む途中にある時点Ｗ１において、図２５に示す処理を行う。すなわち、上記図１のＳ２３において、受信データがないと判断する場合には（Ｓ２３：ＮＯ）、Ｓ２７に進んで、プリンター６自身が備えたキーボードからのキー入力があるか否かを判断する。このとき、プリンター６自身が備えたキーボードからのキー入力がないと判断する場合には（Ｓ２７：ＮＯ）、上記図１のＳ２５に進む一方、プリンター６自身が備えたキーボードからのキー入力があると判断する場合には（Ｓ２７：ＹＥＳ）、Ｓ２８に進んで、後述する図６の本体データ処理を行った後、上記図１のＳ１３に戻る。
【００９８】
ここで、Ｓ２８での本体データ処理について図６に基づいて説明する。本体データ処理では、図６に示すように、先ず、Ｓ１６１において、上記Ｓ２７で確認されたキー入力がテキスト入力であるか否かを判断する。このとき、上記Ｓ２７で確認されたキー入力がテキスト入力であると判断する場合には（Ｓ１６１：ＹＥＳ）、Ｓ１６２に進んで、テキスト編集処理を行い、ＲＡＭ５６を使用してラベル２５に印刷されるテキストデータの編集を行った後、この本体データ処理を終了する。一方、上記Ｓ２７で確認されたキー入力がテキストデータでないと判断する場合には（Ｓ１６１：ＮＯ）、Ｓ１６３に進む。
【００９９】
Ｓ１６３では、上記Ｓ２７で確認されたキー入力がオートカット設定キーであるか否かを判断する。このとき、上記Ｓ２７で確認されたキー入力がオートカット設定キーであると判断する場合には（Ｓ１６３：ＹＥＳ）、Ｓ１６４に進んで、オートカットＯＮ・ＯＦＦ設定を行い、その設定内容をＲＡＭ５６に記憶した後、この本体データ処理を終了する。一方、上記Ｓ２７で確認されたキー入力がオートカット設定キーでないと判断する場合には（Ｓ１６３：ＮＯ）、Ｓ１６５に進む。
【０１００】
Ｓ１６５では、上記Ｓ２７で確認されたキー入力が印刷キーであるか否かを判断する。このとき、上記Ｓ２７で確認されたキー入力が印刷キーであると判断する場合には（Ｓ１６５：ＹＥＳ）、Ｓ１６６に進んで、上述した図４の印刷処理を行った後、この本体データ処理を終了する。一方、上記Ｓ２７で確認されたキー入力が印刷キーでないと判断する場合には（Ｓ１６５：ＮＯ）、Ｓ１６７に進む。
【０１０１】
Ｓ１６７では、上記Ｓ２７で確認されたキー入力がＯＮライン・ＯＦＦラインキーであるか否かを判断する。このとき、上記Ｓ２７で確認されたキー入力がＯＮライン・ＯＦＦラインキーであると判断する場合には（Ｓ１６７：ＹＥＳ）、Ｓ１６８に進んで、入出力インターフェース（入出力Ｉ／Ｆ）５７に接続された接続線ＬをＯＮライン状態からＯＦＦライン状態に又はＯＦＦライン状態からＯＮライン状態に切り替えた後、この本体データ処理を終了する。一方、上記Ｓ２７で確認されたキー入力がＯＮライン・ＯＦＦラインキーでないと判断する場合には（Ｓ１６７：ＮＯ）、Ｓ１６９に進んで、その他の編集処理を行った後、この本体データ処理を終了する。
【０１０２】
このように、プリンター６自身がキーボードを備えて、印字機構ＰＭで印刷用テープ８に印刷されるテキストデータの入力や、オートカットの設定、印刷指令、ＯＮライン・ＯＦＦライン指令などを、プリンター６自身で行う場合でもあっても、図１０Ａ〜図１０Ｄに示すように、一方のユーザーが所望したラベル２５αと他方のユーザーが所望したラベル２５γとが繋がった状態のラベル２５が作成されることを防止できる。
【０１０３】
また、本実施の形態のテープ印刷装置１におけるプリンター６において、割込印刷やナンバリング印刷などが行われた場合であっても、その途中で、「タイムアウト経過」、「通信ケーブル抜き」、「カバーオープン」、「新規入力者情報検出」、「ＯＮラインＯＦＦライン切り替え」のいずれかの所定条件が成立すると（Ｓ２５：ＹＥＳ）、未カット印刷物を強制的にカットするので（Ｓ３２）、異なるユーザーの出力結果が繋がって印刷されることを低減させることは可能である。
【産業上の利用可能性】
【０１０４】
本発明は、カット無し印刷命令とカット有り印刷命令を異なる発信元から受けた場合の調整技術に適用しうる。
【図１】
0004404094.tif 000002
【図２】
0004404094.tif 000003
【図３】
0004404094.tif 000004
【図４】
0004404094.tif 000005
【図５】
0004404094.tif 000006
【図６】
0004404094.tif 000007
【図７】
0004404094.tif 000008
【図８】
0004404094.tif 000009
【図９】
0004404094.tif 000010
【図１０Ａ】
0004404094.tif 000011
【図１０Ｂ】
0004404094.tif 000012
【図１０Ｃ】
0004404094.tif 000013
【図１０Ｄ】
0004404094.tif 000014
【図１１Ａ】
0004404094.tif 000015
【図１１Ｂ】
0004404094.tif 000016
【図１１Ｃ】
0004404094.tif 000017
【図１２Ａ】
0004404094.tif 000018
【図１２Ｂ】
0004404094.tif 000019
【図１２Ｃ】
0004404094.tif 000020